(57)【要約】【課題】視認性のよい識別用ランプを提供する。【解決手段】ゴルファー（目視者）に向かって可視光を発光するＬＥＤランプ（光源）１８と、そのＬＥＤランプ１８をゴルフボール（飛来する物体）の衝突から保護するランプガード（保護部材）１５とを備え、ランプガード１５が、ＬＥＤランプ１８を囲むとともにゴルファーに向かって延びた形状（筒形状）に構成され、かつゴルフボールの最小寸法よりも小さい開口Ｏを有する。【選択図】図２
2006189696.tif 000002
【特許請求の範囲】
【請求項１】
目視者に向かって可視光を発光する光源と、
該光源を飛来する物体の衝突から保護する保護部材とを備える識別用ランプにおいて、
前記保護部材が、前記光源を囲むとともに前記目視者に向かって延びた形状に構成され、かつ前記飛来する物体の最小寸法よりも小さい開口を有することを特徴とする、識別用ランプ。
【請求項２】
前記光源が複数のＬＥＤランプであることを特徴とする、請求項１に記載の識別用ランプ。
【請求項３】
前記保護部材が円筒形状であることを特徴とする、請求項１に記載の識別用ランプ。
【請求項４】
ゴルフ練習場のグリーン上に設置するピン旗竿であって、該ピン旗竿の側部に請求項１に記載の識別用ランプを設けることを特徴とする、ピン旗竿。
【請求項５】
ゴルフ練習場に設置する距離表示板であって、該距離表示板の距離表示部に請求項１に記載の識別用ランプを用いることを特徴とする、距離表示板。
【発明の詳細な説明】
【技術分野】
【０００１】
本発明は、目視者に向かって可視光を発光する光源と、その光源を飛来する物体の衝突から保護する保護部材とを備える識別用ランプおよびそれを用いたピン旗竿ならびに距離表示板に関する。
【背景技術】
【０００２】
従来のゴルフ練習場のグリーン上に設置するピン旗竿には、ゴルファー（目視者）が視認しうるように、棒状のピン旗竿の上部にＬＥＤランプを防護用のカバー（保護部材）で覆って設けたものがある。（例えば特許文献１）。
【０００３】
【特許文献１】特開２００３−３４５２７６号公報
【発明の開示】
【発明が解決しようとする課題】
【０００４】
しかし、このようなピン旗竿では、ＬＥＤランプを透明な樹脂製の保護部材で覆ったり、またはＬＥＤランプの前面に防護ネットを設けるので、ＬＥＤランプの光を遮ったり弱めたりしてしまい、ゴルファーからの視認性が悪いという問題があった。
そこでこの発明の目的は、視認性のよい識別用ランプを提供することにある。
【課題を解決するための手段】
【０００５】
このため請求項１に記載の発明は、目視者に向かって可視光を発光する光源と、
該光源を飛来する物体の衝突から保護する保護部材とを備える識別用ランプにおいて、
前記保護部材が、前記光源を囲むとともに前記目視者に向かって延びた形状に構成され、かつ前記飛来する物体の最小寸法よりも小さい開口を有することを特徴とする。
【０００６】
請求項２に記載の発明は、請求項１に記載の識別用ランプにおいて、前記光源が複数のＬＥＤランプであることを特徴とする。
【０００７】
請求項３に記載の発明は、請求項１に記載の識別用ランプにおいて、前記保護部材が円筒形状であることを特徴とする。
【０００８】
請求項４に記載の発明は、ゴルフ練習場のグリーン上に設置するピン旗竿であって、該ピン旗竿の側部に請求項１に記載の識別用ランプを設けることを特徴とする。
【０００９】
請求項５に記載の発明は、ゴルフ練習場に設置する距離表示板であって、該距離表示板の距離表示部に請求項１に記載の識別用ランプを用いることを特徴とする。
【発明の効果】
【００１０】
請求項１に記載の発明によれば、目視者に向かって可視光を発光する光源と、その光源を飛来する物体の衝突から保護する保護部材とを備える識別用ランプにおいて、保護部材が、光源を囲むとともに目視者に向かって延びた形状に構成され、かつ飛来する物体の最小寸法よりも小さい開口を有するので、光源を覆うことなく光源を破損から保護することができる。よって、光源の光を遮ったり弱めたりせず目視者からの視認性を良好に保つことができる。したがって、視認性のよい識別用ランプを提供することができる。
【００１１】
請求項２に記載の発明によれば、光源が複数のＬＥＤランプであるので、電力消費を少なくすることができ、エネルギー効率のよい識別用を提供することができる。
【００１２】
請求項３に記載の発明によれば、保護部材が円筒形状であるので、市販のパイプを加工して製造することができ、容易に識別用を製造することができる。
【００１３】
請求項４に記載の発明によれば、ゴルフ練習場のグリーン上に設置するピン旗竿であって、そのピン旗竿の側部に請求項１に記載の識別用ランプを設けるので、請求項１に記載の効果を有する識別用ランプを備えるピン旗竿を提供することができる。また、ゴルフボールが飛来して識別用ランプに衝突したときも光源を破損することがない。加えて光源の点滅方法を工夫することで視認者であるゴルファーを楽しませることができる。
【００１４】
請求項５に記載の発明によれば、ゴルフ練習場に設置する距離表示板であって、その距離表示板の距離表示部に請求項１に記載の識別用ランプを用いるので、請求項１に記載の効果を有する識別用ランプを備える距離表示板を提供することができる。また、ゴルフボールが飛来して識別用ランプに衝突したときも光源を破損することがない。加えて光源の点滅方法を工夫することで視認者であるゴルファーを楽しませることができる。
【発明を実施するための最良の形態】
【００１５】
（第１の実施の形態）
図１（ａ）はこの発明のピン旗竿の一例を示す正面図であり、図１（ｂ）は図１（ａ）のＡ矢視側面図である。
ピン旗竿１０はゴルフ練習場のグリーン上でカップ近傍に設けられるものである。
ピン旗竿１０は台座１１の取付パイプ１１ａ上に支柱１２を設け、支柱１２の上端には取付棒１３を設ける。取付棒１３には旗１４を取り付ける。支柱１２には円筒状のランプガード１５を支柱１２の長手方向に等間隔に設置し、ランプガード１５の内部にはそれぞれ後述するＬＥＤランプを複数備える。取付パイプ１１ａ内にはコネクタ４０の雌コネクタ４０ｂを内設する一方、支柱１２内にはコネクタ４０の雄コネクタ４０ａを設ける。
なお、雌コネクタ４０ｂの一端には電線４１を備え、地中に設けられた電線管４２内に配線して不図示の制御盤に接続されている。また、雄コネクタ４０ａには後述するＬＥＤランプ１８の電極に接続された電線を取り付ける。
したがって、支柱１２に取り付けられた複数のＬＥＤランプ１８は制御盤によって順次点滅させたり、同時に点滅させたり、すべてを点灯させたり、制御自在になっている。
この制御盤はゴルフ練習場を覆うネットの外側に設けてもよいし、グリーン付近に設けてもよい。
【００１６】
図２（ａ）は図１（ｂ）のＢ矢視一部拡大側面図、図２（ｂ）は図２（ａ）のＣ矢視断面図である。
支柱１２は、詳しくはフレーム１６、ＬＥＤランプ（光源）１８、ランプガード（保護部材）１５、配線カバー２２などを備える。
フレーム１６は断面形状が略Ｈ型のステンレス製で中央部分にＬＥＤランプ１８のリード線を貫通させる貫通孔１６Ａを設ける。フレーム１６の断面形状は、Ｈ型鋼のほかに溝型鋼や平鋼が用いられる。
ＬＥＤランプ１８は後端にランプ基部１９を備え、ランプ基部１９よりリード線２０を延設する。このＬＥＤランプ１８はランプ取付部材１７に保持された状態で貫通孔１６Ａよりランプ基部１９を下方に覗かせるようにフレーム１６に取り付ける。ＬＥＤランプ１８の後端の端子線に直接配線し、ランプ基部１９を用いないで取り付けるようにしてもよい。
なお、ＬＥＤランプ１８は複数個を１ブロックとしてフレーム１６の長手方向に向かって配列固定したランプガード１５の内側に収納する。
【００１７】
ランプガード１５は鋼鉄製のパイプで構成され、フレーム１６の材料がＨ型鋼や溝型鋼を用いたときはフレーム１６をフランジ１６Ｂよりも突出するように設け、フレーム１６の中央横板のウエブに溶接によって取り付ける。なお、ランプガード１５の円筒の直径はゴルフボール（飛来する物体）の直径４３ｍｍよりも小さくする。また、ランプガード１５はその中心線が水平よりも若干（２度程度）下方に傾斜した状態で取りつけると好適である。これは、ピン旗竿１０においてランプガード１５を水平に配置した場合に、ピン旗竿１０にゴルフボールが衝突するなどしてピン旗竿１０が後方に傾くと、ランプガード１５の軸心が上向きになって、降雨時に雨水が流入しやすくなり、その雨水がリード線に伝ってＬＥＤランプ１８をショートさせてしまうことを防止するためのものである。
配線カバー２２は鋼鉄製で断面形状がコの字型に形成される。
各ＬＥＤランプ１８のリード線２０を接続した後、フレーム１６のランプガード１５とは反対側を配線カバー２２で覆い、ボルト２３を外側から締め付けて配線カバー２２をフレーム１６に取り付ける。
なお、上記ＬＥＤランプ１８、ランプガード１５を合わせて識別用ランプと称する。また、ランプガード１５は開口Ｏを有し、その開口ＯよりＬＥＤランプ１８の可視光を発するものとする。したがって、ＬＥＤランプ１８と目視者であるゴルファーとの間に遮るものはない状態である。
また、ＬＥＤランプ１８は、赤、青、緑、オレンジ、紫などあらゆる色の光源を用いることができるものとする。
加えて、台座１１からフレーム１２との間にはコネクターを設けてある。すなわち、フレーム１２の下部にオスコンタクトを台座１１の上端にはメスコンタクトを取り付ける。したがって、台座１１からフレーム１２を抜き差し自在にすると保守・点検などの点ですぐれたピン旗竿１０とすることができる。
【００１８】
このように構成されたピン旗竿１０は、ゴルファー（目視者）がホールインワンを出すとカップ内に設けた不図示のセンサが反応し、ＬＥＤランプ１８を点滅させて、ホールインワンであることを告知する。
なお、ＬＥＤランプ１８の点滅の方法については、一端から他端へ向かって連続的に点滅する方法や中央部分から両端に向かって連続的に点滅する方法など公知の方法を用いるものとする。
また、ＬＥＤランプ１８に向かって飛んできたゴルフボール（飛来する物体）に対しては、ランプガード１５がＬＥＤランプ１８から突設されているので、ＬＥＤランプ１８へのゴルフボールの衝突を未然に防止することができる。加えて、ＬＥＤランプ１８の前面に保護部材を設けないのでゴルファーからＬＥＤランプ１８を容易に認識することができる。
【００１９】
なお、支柱１２に固設するランプガード１５は円筒形に限定されるものではなく、例えば図３（ａ）に示すように、鋼鉄製の六角筒としてもよい。この場合、ランプガード１５１の内部に設けるＬＥＤランプ１８の構成・形状は図２に示すものと同様とする。
また、図３（ｂ）に示すように、鋼鉄製の四角筒としてもよい。この場合も、ランプガード１５２の内部に設けるＬＥＤランプ１８の構成・形状は図２に示すものと同様とする。
さらに、ＬＥＤランプ１８の点滅タイミングはホールインワンに限定されるものではなく、タイマーを用いて一定時間ごとに点滅させるようにしてもよいし、周囲が暗くなってきたら点灯するようにしてもよい。
【００２０】
以上説明したように、この発明のピン旗竿１０に備える識別用ランプは、ゴルファー（目視者）に向かって可視光を発光するＬＥＤランプ（光源）１８と、そのＬＥＤランプ１８をゴルフボール（飛来する物体）の衝突から保護するランプガード（保護部材）１５とを備え、ランプガード１５が、ＬＥＤランプ１８を囲むとともにゴルファーに向かって延びた形状（筒形状）に構成され、かつゴルフボールの最小寸法よりも小さい開口Ｏを有する。なお、ＬＥＤランプ１８は複数備えてもよい。また、ランプガード１５が円筒形状である。
そして、識別用ランプを備えるピン旗竿１０は、ゴルフ練習場のグリーン上に設置するピン旗竿１０である。
【００２１】
（第２の実施の形態）
図４（ａ）はこの発明の距離表示板の一例を示す正面図であり、図４（ｂ）は図４（ａ）のＤ矢視断面図である。距離表示板３０はゴルフ練習場に設置し、ゴルファーからの距離を示すものである。
鋼鉄製の距離表示板３０には所定の数字を表示する距離表示部３１を形成するべく複数の貫通孔３２を設け、ランプ取付部材に取り付けられたＬＥＤランプ１８のリード線２０を表側から裏側に向かって貫通させる。そしてリード線２０を不図示のコードに取り付けた状態で配線カバー２２１を距離表示板３０の裏側に取り付ける。
【００２２】
一方、距離表示板３０の表側にはＬＥＤランプ１８を取り囲むように鋼鉄製の円筒形状のランプガード（保護部材）１５を溶接などによって取り付ける。
なお、距離表示板３０に取り付ける識別用ランプは第１の実施の形態に記載したものと同様の構成・作用・効果であるので詳述を省略する。
このように構成された距離表示板３０に備えるＬＥＤランプ１８の外周にはランプガード１５を取り付けるので、ゴルファーの打ったゴルフボールがＬＥＤランプ１８に飛来してもランプガード１５が衝突を防止するように機能する。
したがって、この例の距離表示板３０は、ゴルフ練習場に設置するものであって、距離表示板３０の距離表示部３１に上述の識別用ランプを用いるものである。
なお、距離表示板３０に取り付けるＬＥＤランプ１８の数量はゴルファーからの距離やＬＥＤランプ１８の性能などによって適宜調整するものとする。
また、距離表示板３０は必要に応じてスタンドなどに取り付けて、ゴルファーからよく見える仰角で設置するものとする。
【図面の簡単な説明】
【００２３】
【図１】この発明のピン旗竿の一例の（ａ）は正面図、（ｂ）は（ａ）のＡ矢視側面図である。
【図２】（ａ）は図１（ｂ）に示すピン旗竿のＢ矢視拡大正面図、（ｂ）は（ａ）のＣ矢視断面図である。
【図３】（ａ），（ｂ）はそれぞれ図２に示すピン旗竿の別の例の拡大正面図である。
【図４】この発明の距離表示板の一例の（ａ）は正面図、（ｂ）は（ａ）のＤ矢視断面図である。
【符号の説明】
【００２４】
１０    ピン旗竿
１１    台座
１２    支柱
１３    取付棒
１４    旗
１５，１５１，１５２    ランプガード（保護部材：識別用ランプ）
１６，１６１，１６２    フレーム
１６Ａ，３２    貫通孔
１６Ｂ    フランジ
１７    ランプ取付部材
１８    ＬＥＤランプ（光源：識別用ランプ）
１９    ランプ基部
２０    リード線
２２，２２１    配線カバー
２３    ボルト
３０    距離表示板
３１    距離表示部
Ｏ    開口
【図１】
2006189696.tif 000003
【図２】
2006189696.tif 000004
【図３】
2006189696.tif 000005
【図４】
2006189696.tif 000006